(57)【要約】  複合式の事前埋込み型アンカリングスロット装置が平行に配置される２つ以上の対の事前埋込み型アンカリングスロット（１）を備える。接続ねじ（８）および位置決めナット（９）が各事前埋込み型アンカリングスロット（１）の両端部に設置される。アンカリングネイル（３）が事前埋込み型アンカリングスロット（１）の底部に配置され、アンカリングネイル接続デバイス（７）に接続される。補強鋼棒（２）がアンカリングネイル接続デバイス（７）の２つごとの間に設置され、それにより、垂直方向および水平方向に接続される補強鋼棒の複合体が形成される。事前埋込み型アンカリングスロット（１）の一方の端部が、歯付きのナット出入口開口（６）とキャップライナ（４）とを備え、事前埋込み型アンカリングスロット（１）のもう一方の端部がキャップライナ（４）を装備する。制限補強ブロック（５）が事前埋込み型アンカリングスロット（１）内に配置される。歯付きナット（１０）が、事前埋込み型アンカリングスロット（１）の歯付きナット出入口開口（６）内に配置されてそこを出入りする。２つ以上の歯付きナット（１０）が事前埋込み型アンカリングスロット（１）内に配置される。この複合式の事前埋込み型アンカリングスロット装置では、フレーム構造体が、平行に配置される２つ以上の対の事前埋込み型アンカリングスロット（１）と、互いに接続される接続ねじ（８）と、垂直方向および水平方向に接続される補強鋼棒の複合体とによって形成され、それによりこの装置が良好な安定性を有するようになる。【選択図】図４
2014521852.tif 000002
【特許請求の範囲】
【請求項１】
埋込み型アンカー溝を備えることを特徴とする、複合式の埋込み型アンカー溝装置であって、接続ねじ（８）と、位置決めナット（９）と、アンカースタッド接続手段（７）を備えるアンカースタッド（３）と、補強鋼棒（２）と、鋸歯状ナット（１０）とをさらに備え、
前記埋込み型アンカー溝が１対または複数対の並置される埋込み型アンカー溝（１）を含み、前記埋込み型アンカー溝（１）の各々の両端部が前記接続ねじ（８）および前記位置決めナット（９）を用いて設置され、
前記アンカースタッド（３）が前記埋込み型アンカー溝（１）の底部に配置され、前記アンカースタッド（３）が前記アンカースタッド接続手段（７）に接続され、前記アンカースタッド接続手段（７）の２つごとの間に補強鋼棒（２）が設置され、これらが垂直方向および水平方向に接続される補強鋼組立体を形成し、
前記埋込み型アンカー溝（１）の一方の端部に、鋸歯状ナット開口（６）と、開口封止キャップ（４）とが配置され、前記埋込み型アンカー溝（１）のもう一方の端部に、前記封止キャップ（４）が配置され、前記埋込み型アンカー溝（１）に位置制限補強プレート（５）が配置され、
前記鋸歯状ナット（１０）が前記埋込み型アンカー溝（１）の前記鋸歯状ナットアクセス開口（６）内に配置されて嵌合され、１つまたは複数の鋸歯状ナット（１０）が前記埋込み型アンカー溝（１）の内側に配置され、
前記埋込み型アンカー溝装置が、１対または複数対の並置される前記埋込み型アンカー溝（１）および相互接続させる前記接続ねじ（８）によって組み立てられ、垂直方向および水平方向に接続される補強鋼棒（２）の組立体がフレーム構造体を形成する、
複合式の埋込み型アンカー溝装置。
【請求項２】
前記アンカースタッド（３）が前記埋込み型アンカー溝（１）の底部の２つの側に配置されることを特徴とする請求項１に記載の複合式の埋込み型アンカー溝装置。
【請求項３】
前記アンカースタッド（３）が前記埋込み型アンカー溝（１）の底部の中央に配置されることを特徴とする請求項２に記載の複合式の埋込み型アンカー溝装置。
【請求項４】
１つ、２つまたは３つの鋸歯状ナット（１０）が前記埋込み型アンカー溝（１）の各々の内側に配置されることを特徴とする請求項１に記載の複合式の埋込み型アンカー溝装置。
【請求項５】
取り付けられる構造要素を使用者が位置決めするのを支援するように、前記鋸歯状ナット（１０）に中心線が刻まれることを特徴とする請求項１に記載の複合式の埋込み型アンカー溝装置。
【請求項６】
前記鋸歯状ナット（１０）に多数のナット固定ねじ（１１）が配置されることを特徴とする請求項１に記載の複合式の埋込み型アンカー溝装置。
【請求項７】
前記鋸歯状ナット（１０）が鋸歯状Ｔボルトと置き換え可能であることを特徴とする請求項１に記載の複合式の埋込み型アンカー溝装置。
【請求項８】
前記埋込み型アンカー溝（１）の前記ナットアクセス開口（６）の幅が前記埋込み型アンカー溝（１）の切欠き空間より大きいことを特徴とする請求項１に記載の複合式の埋込み型アンカー溝装置。
【請求項９】
前記位置制限補強プレート（５）が前記埋込み型アンカー溝（１）の２つの側に配置されることを特徴とする請求項１に記載の複合式の埋込み型アンカー溝装置。
【請求項１０】
２つの前記埋込み型アンカー溝（１）の対の間の間隔が、前記接続ねじ（８）および位置決めナット（９）を介して調整および固定され得ることを特徴とする請求項１に記載の複合式の埋込み型アンカー溝装置。
【発明の詳細な説明】
【技術分野】
【０００１】
本出願は、建設業界で使用される事前埋込み型複合式の金属のアンカースロット装置に関し、詳細には、波板鋼板デッキングを用いる鉄筋コンクリートフロアスラブまたは薄い鉄筋コンクリートフロアスラブで使用されるための事前埋込み型アンカースロット装置に関連する。
【背景技術】
【０００２】
近代建築の設計者は、通常は１２５ｍｍから１５０ｍｍの範囲の厚さの、鉄筋コンクリートトッピングを用いる波形鋼板デッキングまたは薄いコンクリートフロアスラブを使用することを広く採用している。しかし、フロアスラブの厚さの減少により、コンクリート構造体に取り付けられることに依拠する埋込み型アンカースロットでは、外部物体に対する耐荷力が低下する。
【０００３】
現代の高層建築では、構造スチールワークが通常は建物の主要構造フレームとして使用されている。鉄筋コンクリートトッピングを用いる波板鋼板デッキングは、わずか１２５ｍｍ〜１５０ｍｍの厚さを有するフロアスラブを形成するのに使用される。加えて、建築家は、全体の建設費用を低減することを目的としてフロアスラブの厚さを最小限に抑えようとしている。上記のことから、複合式のアンカースロット装置を研究することが建設業界の１つの目標となっている。
【発明の概要】
【発明が解決しようとする課題】
【０００４】
本出願は、建設業界で使用される複合式の事前埋込み型アンカースロット装置を対象とする。
【０００５】
本出願の目的は、コンクリート構造体内で固定され、鋸歯状ナットから伝達される外部荷重を作用させるアンカースタッドおよび補強鋼棒を利用することにより、コンクリート構造体の波形鋼板デッキングを用いるコンクリートスラブまたは薄い従来の鉄筋コンクリートスラブ内に本装置を埋め込むことで、従来技術で考察した技術的難点を軽減する複合式の埋込み型アンカースロット装置を提供することである。
【課題を解決するための手段】
【０００６】
アンカースロットと、連結ボルトと、固定ナットと、アンカースタッドと、補強鋼棒と、鋸歯状ナットとを備える複合式の事前埋込み型アンカースロット装置が提供され、上記の複合式の埋込み型アンカースロット装置が、１対または複数対の並置されるアンカースロットと、アンカースロットの各端部に設置される連結ボルトと固定ナットとをさらに備える。アンカースタッドがアンカースロットの底部に設けられ、接続節点に接続される。補強鋼棒が、交差する補強鋼棒の複合式の構造体を形成するように２つの接続節点ごとの間に設置される。アンカースロットの一方の端部にはナットアクセス開口およびエンドキャップが設けられる。さらに、アンカースロットの反対側の端部には、エンドキャップと、アンカースロット内部に配置されるナット位置制限部材とが設けられる。鋸歯状ナットがナットアクセス開口を介してアンカースロットにアクセスし、ここでは、１つまたは複数の鋸歯状ナットが溝型レール内に設置される。この複合式の事前埋込み型アンカースロット装置が、連結ボルトおよび交差する補強鋼棒の複合式のボディを用いて１対または複数対の並置されるアンカースロットを共に連結することによりフレーム構造体を形成する。
【０００７】
アンカースタッドが、アンカースロットの底部またはアンカースロットの中央に設けられる、複合式の事前埋込み型アンカースロット装置が提供される。
【０００８】
１つまたは複数の鋸歯状ナットが各アンカースロットの内部に設けられる、複合式の事前埋込み型アンカースロット装置が提供される。
【０００９】
外部付属物の位置決めをユーザによって実行され得るようにするために、鋸歯状ナットに中心線がマークされる、複合式の事前埋込み型アンカースロット装置が提供される。
【００１０】
止めねじが鋸歯状ナット上に設けられる、複合式の事前埋込み型アンカースロット装置が提供される。
【００１１】
鋸歯状ナットが鋸歯状Ｔボルトと交換され得る、複合式の事前埋込み型アンカースロット装置が提供される。
【００１２】
アンカースロットのナットアクセス開口の幅がスロット開口部の幅より大きい、複合式の事前埋込み型アンカースロット装置が提供される。
【００１３】
ナット位置制限部材がアンカースロットの端部に接近して位置する、複合式の事前埋込み型アンカースロット装置が提供される。
【００１４】
一対のアンカースロットの間の間隔を調整および縮小することが、連結ボルトおよび固定ナットを調整することによって行われ得る、複合式の事前埋込み型アンカースロット装置が提供される。
【００１５】
本発明は上記の技術的特徴を利用し、コンクリート構造体内で固定され、鋸歯状ナットから伝達される外部荷重を作用させるアンカースタッドおよび補強鋼棒を利用することにより、コンクリート構造体の波形鋼板デッキングを用いるコンクリートスラブまたは薄い従来の鉄筋コンクリートスラブ内に本装置を埋め込むことで、従来技術で考察した技術的難点を軽減する複合式の埋込み型アンカースロット装置を提供する。従来技術と比較すると、この複合式の事前埋込み型アンカースロット装置は非常に高い安定性を提供する。
【００１６】
本発明は、コンクリートスラブ内に埋め込まれる少なくとも一対のアンカースロットの複合式の構造体を提供する。アンカースタッドと、長手方向および横方向に配置される補強鋼棒との組立体により、アンカー装置とコンクリートスラブとの間のグリップが向上し、さらには、外部構造に対する耐荷力が向上する。一方で、位置制限部材が、荷重下でアンカースロットが持ち上げられて開けられるのを防止するように機能し、それにより、設置用ボルトがアンカースロットから引き抜かれることが回避され、それにより構造体が不安定になることも回避される。
【００１７】
本発明の複合式の事前埋込み型アンカースロット装置は材料を節約することから、費用対効果を向上させ、環境にも優しい。
【図面の簡単な説明】
【００１８】
【図１】波形鋼板デッキングを備えるコンクリートスラブ内に埋め込まれる本出願の複合式の事前埋込み型アンカースロット装置を示す構造図である。
【図２】図１の線Ａ−Ａに沿う断面図である。
【図３】図１の正面図である。
【図４】本出願の別の実施形態を示す図である。
【図５】図４の線Ｂ−Ｂに沿う断面図である。
【図６】適用されている、複合式の事前埋込み型アンカー装置を示す側面図である。
【図７】図６の平面図である。
【発明を実施するための形態】
【００１９】
好適な実施形態および添付図面を参照して本発明を以下で詳細に説明する。
【００２０】
図１から図３を参照すると、本発明が、建設業界で使用されるための複合式の事前埋込み型アンカースロット装置を提供することを目的とし、この装置が、主に、アンカースロット１と、連結ボルト８と、固定ナット９と、アンカースタッド３および接続節点７と、補強鋼棒（換言すれば、鉄筋棒）２と、鋸歯状ナット１０とを有する。本装置は、鋼波形デッキング（換言すれば、敷板）を備えるコンクリートスラブ１２内に予め埋め込まれる。
【００２１】
複合式の事前埋込み型アンカースロット装置が、連結ボルト８および固定ナット９を用いて１対または複数対の並置されるアンカースロット１を対応する端部で共に連結することにより、形成される。アンカースタッド３が、アンカースロット１のウェブから延在するアンカースロット１の底部に設けられる。図に描かれるように、アンカースタッド３がウェブの両側に置かれ、アンカースロット１の長手方向に沿うように配置される。アンカースタッド３はコンクリート内に埋め込まれ、それにより、外部荷重下でアンカースロットがコンクリートから引き抜かれることが防止される。
【００２２】
アンカースロット３は接続節点７を備える。補強鋼棒２がアンカースロットの方向に沿って、並びに２つのアンカースロットを横切る方向において２つの接続節点７の間に設置される。その結果、長手方向および横方向に配置される補強鋼棒２により、交差する補強鋼棒２の複合式の本体が形成される。
【００２３】
アンカースロット１の一方の端部に、ナットアクセス開口６およびエンドキャップ４が設けられる。アンカースロット１の反対側の端部に別のエンドキャップ４が設けられる。ナット位置制限部材５がアンカースロット１の対向する端部の各々に近接して設置される。鋸歯状ナット（換言すれば、セレーション付きナット）１０がナットアクセス開口６を通してアンカースロット１内に挿入される。アンカースロット１内に嵌合される鋸歯状ナット１０の数は１つ、２つ、またはさらには３つであってもよい。鋸歯状ナット１０はアンカースロット１の内部に設置される。
【００２４】
ユーザが外部付属物の位置決めを実行するのを支援するために、鋸歯状ナット１０に中心線が付けられる。止めねじ１１が鋸歯状ナット１０に設けられ、それにより鋸歯状ナット１０の位置を固定することが可能となる。止めねじ１１を回転させてそれにより鋸歯状ナット１０を押し上げてフットフランジの底部表面に対して押圧することにより、位置を固定することが達成される。その結果、鋸歯状ナット１０上の鋸歯がフットフランジの底部表面上に配置される鋸歯に噛み合い、それにより鋸歯状ナット１０が定位置で固定される。鋸歯状ナット１０は鋸歯状Ｔボルトに置き換えられてもよい。
【００２５】
ナットアクセス開口６の幅がアンカースロット１の開口部の幅より大きく、それにより鋸歯状ナット１０にアクセスすることが可能となる。さらに、アンカースロット１は、アンカースロット１の各反対側の端部の近くにナット位置決め補強部材５を装備する。上記のナット位置決め補強部材５が鋸歯状ナット１０の位置範囲を制限するように機能し、さらに、外部荷重下でアンカースロット１がこじ開けられるのを防止する。
【００２６】
図４から５が、アンカースロット１と、連結ボルト８と、固定ナット９と、アンカースタッド９および接続節点７と、補強鋼棒２と、鋸歯状ナット１０とによって主に形成される、複合式の事前埋込み型アンカースロット装置の別の実施形態を示す。
【００２７】
複合式の事前埋込み型アンカースロット装置が、１対または複数対の上述の並置されるアンカースロット１で構成される。連結ボルト８および固定ナット９がアンカースロット１の各反対側の端部に設置される。図に示されるように、アンカースタッド３がアンカースロット１の反対側の端部の近くおよびアンカースロット１の中央に設けられ、アンカースロット１の長手方向に沿うようにウェブ上に配置される。アンカースタッド３がコンクリート内に埋め込まれ、それにより、外部荷重下でアンカースロット１が引き抜かれることが防止される。
【００２８】
アンカースタッド３がアンカースタッド接続節点７に接続される。補強鋼棒２が２つの接続節点７の間に設置される。図に示されるように、３つの接続節点７がアンカースロット１の長手方向に沿って配置され、補強鋼棒２によって連結される。２つの並置されるアンカースロット１を接続させる２つの連結ボルト８に加えて、アンカースロット１がさらに２つの補強鋼棒２によって連結される。その結果、長手方向および横方向に配置される補強鋼棒２により、交差する補強鋼棒２の複合式の本体が形成される。
【００２９】
アンカースロット１の一方の端部がナットアクセス開口６および封止キャップ４を装備する。別の封止キャップ４がアンカースロット１の反対側の端部に設けられる。位置制限部材５がアンカースロット１の内部に設けられる。鋸歯状ナット１０がナットアクセス開口６を通してアンカースロット１内に挿入される。図に示されるように、２つの鋸歯状ナット１０がアンカースロット１の各々に挿入される。
【００３０】
外部付属物の位置決めをユーザによって実行され得るようにするために、鋸歯状ナット１０に中心線が付けられる。止めねじ１１が鋸歯状ナット１０に設けられ、それにより鋸歯状ナット１０の位置を固定することが可能となる。止めねじ１１を回転させてそれによりフットフランジの底部表面に対して鋸歯状ナット１０を押圧することにより、位置を固定することが達成される。その結果、鋸歯状ナット１０上の鋸歯がフットフランジの底部表面上に配置される鋸歯に噛み合い、それにより鋸歯状ナット１０が定位置で固定される。鋸歯状ナット１０は鋸歯状Ｔボルトに置き換えられてもよい。
【００３１】
ナットアクセス開口６の幅は、鋸歯状ナット１０がアクセスすることを許容するように、アンカースロット１の開口部の幅より大きい。さらに、アンカースロット１が、アンカースロット１の各反対側の端部の近くにナット位置決め補助部材５を装備する。上記のナット位置決め補助部材５を装備することが鋸歯状ナット１０の位置範囲を制限するように機能し、さらに、外部荷重下でアンカースロット１が持ち上げられて開けられるのを防止する。
【産業上の利用可能性】
【００３２】
図６および図７を参照すると、これらの図が、本発明の複合式の事前埋込み型アンカースロット装置の適用法を示す。複合式の事前埋込み型アンカースロット装置は、コンクリート構造体の波形鋼板デッキングを備えるコンクリートスラブ１２内に埋め込まれる。
【００３３】
本発明の複合式の事前埋込み型アンカースロット装置は、固定ナット９を用いて固定されるリンケージロッド８によって相互接続される２つ以上のアンカースロット１と、複合式のフレーム構造体を協働して形成するように長手方向および横方向に配置される補強鋼棒２とを含み、これは、埋込み型アンカースロット装置全体のための安定性、特に波形鋼板デッキングを備える薄いコンクリートスラブまたは従来の鉄筋コンクリートスラブ内にこのような装置を埋め込むための安定性を向上させる。コンクリート構造体内で固定され、鋸歯状ナット１０から伝達される外部荷重を作用させるアンカースタッド３および補強鋼棒２を利用することにより、非常に高い安定性を得ることができる。
【００３４】
本発明の複合式の事前埋込み型アンカースロット装置は、連結ボルト８および固定ナット９を調整して締めることにより、並置されるアンカースロット１の間の間隔を調整することを可能にする。
【００３５】
上述のように、本発明の複合式の事前埋込み型アンカースロット装置は、コンクリート構造体内で固定され、鋸歯状ナットから伝達される外部荷重を作用させるアンカースタッドおよび補強鋼棒を利用することにより、コンクリート構造体の波形鋼板デッキングを用いるコンクリートスラブまたは薄い従来の鉄筋コンクリートスラブ内に埋め込ませることができ、この複合式の事前埋込み型アンカースロット装置が非常に高い安定性を提供する。この装置では、２つ以上のアンカースロットが、固定ナットを用いて固定される連結ボルトによって相互接続される。長手方向および横方向に配置される補強鋼棒を用いることにより、本装置がフレーム構造体を形成し、本装置とコンクリート構造体との間のグリップさらにはコンクリート構造体上の外部荷重の耐荷力が最大化され得る。本発明の複合式の事前埋込み型アンカースロット装置は材料を節約することから、費用対効果を向上させ、環境にも優しい。
【００３６】
もちろん、上述が実施形態を示す役割のみを有し、開示される本発明を限定するものではないことを当業者であれば理解するであろう。本発明の精神の範囲内にある任意の修正形態、均等物および変更形態が、添付の特許請求の範囲によって定義される本開示の範囲内にある。
【図１】
2014521852.tif 000003
【図２】
2014521852.tif 000004
【図３】
2014521852.tif 000005
【図４】
2014521852.tif 000006
【図５】
2014521852.tif 000007
【図６】
2014521852.tif 000008
【図７】
2014521852.tif 000009
【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
構造要素をコンクリートスラブに固定するための事前埋込み型アンカー装置であって、
少なくとも２つの連結ボルト（８）によって互いに接続される少なくとも一対の並置される細長いアンカースロット（１）であって、前記連結ボルト（８）の端部の各々がナット（９）によって前記アンカースロット（１）に接続され、前記アンカースロット（１）から複数のアンカー部材（３）が延在する、少なくとも一対の並置される細長いアンカースロット（１）と、
複数のアンカー部材（３）を前記アンカー部材（３）の接続節点（７）で相互接続させる鋼棒（２）の組立体であって、少なくとも一対の鋼棒（２）が前記細長いアンカースロット（１）に沿う方向に延在し、少なくとも第２の対の鋼棒（２）が前記細長いアンカースロット（１）を横切る方向に延在する、鋼棒（２）の組立体と、
を備える、事前埋込み型アンカー装置において、
前記一対の並置されるアンカースロット（１）が前記連結ボルト（８）および交差する鋼棒（２）の組立体によって相互接続されてフレームを形成する
ことを特徴とする事前埋込み型アンカー装置。
【請求項２】
前記アンカー部材（３）が前記アンカースロット（１）の底部に設けられることを特徴とする請求項１に記載の事前埋込み型アンカー装置。
【請求項３】
前記アンカー部材（３）が前記アンカースロット（１）の中央部に設けられることを特徴とする請求項２に記載の事前埋込み型アンカー装置。
【請求項４】
１つまたは複数の鋸歯状ナット（１０）が各アンカースロット（１）の内部に設けられることを特徴とする請求項１に記載の事前埋込み型アンカー装置。
【請求項５】
前記鋸歯状ナット（１０）に中心線が付けられることを特徴とする請求項１に記載の事前埋込み型アンカー装置。
【請求項６】
止めねじ（１１）が前記鋸歯状ナット（１０）に設けられることを特徴とする請求項１に記載の事前埋込み型アンカー装置。
【請求項７】
前記鋸歯状ナット（１０）が鋸歯状Ｔボルトに交換可能であることを特徴とする請求項１に記載の事前埋込み型アンカー装置。
【請求項８】
前記アンカースロット（１）のナットアクセス開口（６）の幅が前記スロットの開口部の幅より大きいことを特徴とする請求項１に記載の事前埋込み型アンカー装置。
【請求項９】
ナット位置制限部材（５）が前記アンカースロット（１）の端部に近接して配置されることを特徴とする請求項１に記載の事前埋込み型アンカー装置。
【請求項１０】
前記連結ボルト（８）および固定ナット（９）を調整することによって、前記一対の細長いアンカースロット（１）の間の間隔を調整することができることを特徴とする請求項１に記載の事前埋込み型アンカー装置。
【請求項１１】
前記アンカースロット（１）の一方の端部にナットアクセス開口（６）およびエンドキャップ（４）が設けられており、前記アンカースロット（１）の反対側の端部に、エンドキャップ（４）が設けられており、前記アンカースロット（１）の内部にナット位置制限部材（５）が配置されており、前記鋸歯状ナット（１０）が前記ナットアクセス開口（６）を通って前記アンカースロット（１）にアクセスし、１つまたは複数の鋸歯状ナット（１０）が前記アンカースロット（１）内に設置される、ことを特徴とする請求項１に記載の事前埋込み型アンカー装置。
【請求項１２】
前記アンカースロットに沿う方向に延在する前記鋼棒（２）が同じアンカースロットの交互のアンカー部材の接続節点（７）の間で接続される、請求項１に記載の事前埋込み型アンカー装置。
【請求項１３】
前記接続節点が、前記アンカースロットに沿う方向に延在する鋼棒または前記アンカースロットを横切って延在する鋼棒に接続される、請求項１に記載の事前埋込み型アンカー装置。
【国際調査報告】
2014521852.tif 000010
2014521852.tif 000011
2014521852.tif 000012
2014521852.tif 000013
2014521852.tif 000014
2014521852.tif 000015
2014521852.tif 000016
2014521852.tif 000017